(57)【要約】  天井内などの高所への電線の配線作業が安全にしかも容易に行なえる配線用工具を提供する。  【課題】【課題を解決するための手段】  電線やケーブルあるいはワイヤーなどの線状部材を保持するための保持体と、保持体を支持するための支持体と、保持体を支持体に対して連結する一対の連結体とが備えられ、連結体は、作動手段により、支持体に対して保持体を連結する位置と、支持体と保持体との連結を解除する位置とに位置変更可能とすると共に、一方の連結体が支持体と保持体との連結を解除する位置に位置するときには、少なくとも他方の連結体は支持体に対して保持体を連結する位置に位置するようにした。  【選択図】  図２
2005117715.tif 000002
【特許請求の範囲】
【請求項１】
線状部材を保持するための保持体と、
保持体を支持するための支持体と、
保持体を支持体に対して連結する一対の連結体とが備えられ、
連結体は、作動手段により、支持体に対して保持体を連結する位置と、支持体と保持体との連結を解除する位置とに位置変更可能とすると共に、一方の連結体が支持体と保持体との連結を解除する位置に位置するときには、少なくとも他方の連結体は支持体に対して保持体を連結する位置に位置するようにしていることを特徴とする配線用工具。
【請求項２】
支持体は、長尺の取っ手部と保持体を支持するための支持部とから構成され、支持部は、取っ手部の長さ方向一端部に揺動可能に設けられていることを特徴とする請求項１に記載の配線用工具。
【請求項３】
取っ手部が長さ調整可能であることを特徴とする請求項２に記載の配線用工具。
【発明の詳細な説明】
【技術分野】
【０００１】
本発明は、例えば建屋の天井内に電線などの線材部材を配線するのに用いる配線用工具に関する。
【背景技術】
【０００２】
一般にビルディングなどの天井は、図３にも示すように、金属製若しくは木製の杆材Ａを略格子状に組み付けて天井下地部Ｂを形成して、この天井下地部Ｂの下面にパネルを適宜敷設するようにしており、また電線や電話線などの線状部材は、天井下地部Ｂ上の天井内Ｃに適宜配線するようにしている。
【０００３】
ところで以上の天井内Ｃへの配線工事では、天井下地部Ｂにパネルを敷設する以前に、天井下地部Ｂ上に電線などを通す場合があるが、以上の配線作業を行なうのに、従来では、作業者が、床面に立てたはしごや脚立に登って、上半身を天井内Ｃにもぐりこませながら、手作業で電線などの線状部材を、天井下地部Ｂを構成する杆材Ａ上を順次通過させて天井下地部Ｂ上に敷設している。
【０００４】
そして従来の配線工事では、洗浄部材の敷設作業を終えるまでには作業の途中で何度も脚立から降りて脚立を移動させねばならず、全体として作業が行ない難いし、ともすると脚立などからの落下事故を招く危険性もある。
【発明の開示】
【発明が解決しようとする課題】
【０００５】
本発明は以上の実情に鑑みて開発したものであって、目的とするところは、特に天井内などの高所への線状部材の配線作業が安全にしかも容易に行なえる配線用工具を提供するにある。
【課題を解決するための手段】
【０００６】
以上の目的を達成するため、請求項１に記載の発明の配線用工具は、電線などの線状部材を保持するための保持体と、保持体を支持するための支持体と、保持体を支持体に対して連結する一対の連結体とが備えられ、連結体は、作動手段により、支持体に対して保持体を連結する位置と、支持体と保持体との連結を解除する位置とに位置変更可能とすると共に、一方の連結体が支持体と保持体との連結を解除する位置に位置するときには、少なくとも他方の連結体は支持体に対して保持体を連結する位置に位置するようにしていることを特徴とするものである。
【０００７】
請求項１に記載の発明の配線用工具では、例えば天井下地部上に電線などの線状部材を配線する際に、線状部材を保持する保持体を、天井下地部を構成する杆材に対して順次支障なく通過させることが出来る。
【０００８】
請求項２に記載の発明は、請求項１に記載の支持体を、長尺の取っ手部と保持体を支持するための支持部とから構成して、支持部を、取っ手部の長さ方向一端部に揺動可能に設けたことを特徴とするものである。
【０００９】
請求項２に記載の発明では、支持部を取っ手部に対して屈曲させることで、保持体と支持体の支持部を  例えば駅舎や工場の天井に吊下げられているケーブルラックの側方から線状部材の配線が容易に行なえる。
【００１０】
請求項３に記載の発明で、請求項２に記載の取っ手部を長さ調整可能としたことを特徴とするものである。
【００１１】
請求項３に記載の発明では、線状部材の配線高さに応じて、取っ手部の長さを適宜調整することが出来る。
【００１２】
尚、請求項１に記載の線状部材とは、例えば電線、電話線、ケーブル、ローブ、紐、ワイヤーなどを示すものである。
【発明の効果】
【００１３】
請求項１に記載の発明によれば、例えば天井下地部上に線状部材を配線する際に、線状部材を保持する保持体を、天井下地部を構成する杆材に対して順次支障なく通過させることが出来るので、例えば天井下地部上に電線などの線状部材を配線するに際して、はしごや脚立などを用いずとも簡単に行なうことが出来る。
【００１４】
請求項２に記載の発明によれば、請求項１に記載の作用効果に加え、作業場所の状況に応じて、自由に支持体に対する保持体の取り付け方向を変更することで、配線作業の効率をより一層高めることが出来る。
【００１５】
請求項３に記載の発明によれば、請求項１または２に記載の発明の効果に加え、線状部材の配線高さに応じて取っ手部の長さを調整することで、配線作業の効率をより一層向上することが出来る。
【発明を実施するための最良の形態】
【００１６】
図１は、本発明の配線用工具の一実施形態を示したものであって、基本的には、電線などの線状部材Ｄの長さ方向一端を保持するための保持体１と、
保持体１を支持するための支持体２と、
保持体１を支持体２に対して連結するための左右一対の連結体３ａ・３ｂと、
連結体３ａ・３ｂを、支持体２に対して保持体１を連結する位置と、支持体２と保持体１との連結を解除する位置とに位置変更させると共に、一方の連結体３ａまたは３ｂが支持体２と保持体１との連結を解除する位置に位置するときには、少なくとも他方の連結体３ｂまたは３ａは支持体２に対して保持体１を連結する位置に位置するように作動制御する作動手段としての駆動装置４とが備えられている。
【００１７】
保持体１は、図１にも示すように、断面円形としたロッドの長さ方向両端部を同一方向に屈曲させて、左右一対の被連結部１１ａ・１１ｂが設けられると共に、一方の被連結部１１ｂの基部には、線状部材Ｄの長さ方向一端を係止するための係止環１２が軸受け部材１３を介して回転自由に取り付けられている。
【００１８】
また各被連結部１１ａ・１１ｂの先端部には、インターロック機構１４が組み込まれているのであって、このインターロック機構１４は、各被連結部１１ａ・１１ｂの先端部に径方向に設けた貫通孔１５に、コイルスプリング１６を挟んで一対のロックピン１７が組み込まれて成り、コイルスプリング１６のばね力により、ロックピン１７をその先端部が貫通孔１５から突出する方向に付勢させている。
【００１９】
ロックピン１７の先端には、円錐状のガイド面１７ａが設けられている。
【００２０】
支持体２は、長尺の取っ手部２１と、保持体１を支持するための支持部２２とから構成され、支持部２２は、取っ手部２１の長さ方向一端部にヒンジ機構２３を介して揺動可能に設けられている。
【００２１】
また支持部２２には、平行に延びる左右一対の支持杆２４ａ・２４ｂが設けられ、これら支持杆２４ａ・２４ｂには、コイルスプリング２５ａ・２５ｂが遊挿された後、さらに円筒状の連結体３ａ・３ｂが遊挿されて、コイルスプリング２５ａ・２５ｂのばね力により、連結体３ａ・３ｂの長さ方向一端部が保持体１の被連結部１１ａ・１１ｂに嵌合するようにしている。
【００２２】
そして連結体３ａ・３ｂの長さ方向一端部の内面には、ロックピン１７の先端部が嵌合可能な円錐状の嵌合溝３１ａ・３１ｂが設けられ、連結体３ａ・３ｂの長さ方向一端部が保持体１の被連結部１１ａ・１１ｂに嵌合するに伴い、ロックピン１７の先端部が嵌合溝３１ａ・３１ｂに嵌合するようにしている。
【００２３】
駆動装置４は、
駆動モーター４１ａ・４１ｂと、
駆動モーター４１ａ・４１ｂの駆動に伴い駆動ベルト４２ａ・４２ｂを介して回転する巻取りプーリー４３ａ・４３ｂと、
連結体３ａ・３ｂの内面に突設した連結ピン３２に長さ方向一端が連結され、且つ長さ方向他端側が巻取りプーリ４３ａ・４３ｂに巻取り可能としたワイヤ４４ａ・４４ｂと、
各駆動モーター４１ａ・４１をオン・オフさせるための操作スイッチ４５ａ・４５ｂと、
各操作スイッチの操作に基づいて駆動モーターの駆動を制御するコントローラ４６とが備えられている。
【００２４】
コントローラ４６は、一方の操作スイッチ４５ａまたは４５ｂが操作されて駆動モーター４１ａまたは４１ｂが駆動している時に、他方の操作スイッチ４５ｂまたは４５ａが操作されても、他方の駆動モーター４１ｂまたは４１ａは駆動しないように制御するようにしている。
【００２５】
そして各駆動モーター４１ａ・４１ｂの駆動により、巻取りプーリ４３ａ・４３ｂにワイヤ４４ａ・４４ｂを巻き取ることで、連結体３ａ・３ｂをコイルスプリング２５ａ・２５ｂに坑して支持杆２４ａ・２４ｂ側に移動させて、支持杆２４ａ・２４ｂと被連結部１１ａ・１１ｂとの連結を解除すると共に、支持杆２４ａ・２４ｂと被連結部１１ａ・１１ｂとの間に、杆材Ａ等に対する移動に際しての通過口Ｓが開口するようにしている。
【００２６】
また駆動モータ４１ａ・４１ｂの駆動解除に伴い、コイルスプリング２５ａ・２５ｂのばね力により、連結体３ａ・３ｂを被連結部１１ａ・１１ｂ側に移動させて被連結部１１ａ・１１ｂに嵌合させ、前記した通過口Ｓを閉じるようにしている。
【００２７】
尚、図中４７は、操作スイッチ４５ａ・４５ｂとコントローラ４６とを接続するコードの途中においてヒンジ機構２３部位に設けられた伸縮コードを示し、また図中４８は、駆動装置４の電源としての乾電池を示し、また図中２６は、支持体２の取っ手部２１に取り付けられた肩掛けバンドを示す。
【００２８】
以上の構成からなる配線用工具を用いて、例えば図３に示す天井下地部Ｂが作られた天井内Ｃに電線などの線状部材Ｄを配線するには、先ず線状部材Ｄの長さ方向一端部を係止環１２に結び止めた上で、作業者が手Ｈで取っ手部２１を持ち、保持体１を天井内Ｃに挿入した状態で配線したい方向に移動する。
【００２９】
そして保持体１が天井下地Ｂを構成する杆材Ａの1つに近づいた段階で、一方の操作スイッチ４５ａを押して駆動モータ４１ａを駆動させると、巻取りプーリ４３ａが回転して、ワイヤ４４ａが巻き取られるのであって、これに伴い、連結体３ａがコイルスプリング２５ａに抗して、支持部２２側に移動して、支持杆２４ａと被連結部１１ａとの間に通過口Ｓが開口し、この状態が保持される。
【００３０】
そして工具を移動させて、杆材Ａが通過口Ｓを通過した後、再度、操作スイッチ４５ａを押して、駆動モータ４１ａの駆動を解除すると、巻取りプーリ４３ａがフリーとなって、コイルスプリング２５ａのばね力により、連結体が復動して、通過口Ｓが閉じられる。
【００３１】
しかる後、もう一方の操作スイッチ４５ｂを押して、他方の駆動モーター４１ｂを駆動させると、巻取りプーリ４３ａにワイヤ４４ａが巻き取られ、これにより、連結体３ｂがコイルスプリング２５ｂに抗して支持部２２側に移動して、支持杆２４ｂと被連結部１１ｂとの間に通過口Ｓが開口し、この状態が保持される。
【００３２】
そして更に工具を移動させて、杆材Ａが通過口Ｓを通過した段階で、再度、操作スイッチ４５ｂを押して、駆動モータ４１ｂの駆動を解除すると、巻取りプーリ４３ｂがフリーとなって、連結体３ｂがコイルスプリング２５ｂのばね力により復動し、通過口Ｓが閉じられる。
【００３３】
これにより、線状部材Ｄが杆材Ａ上を横切るのであって、以上の要領で順次杆材Ａを通過していけば、線状部材Ｄを天井内Ｃにおいて所望の方向に簡単に配線することが出来る。
【００３４】
また例えば図４に示すように駅舎の天井に吊り杆Ｅを介して吊下げられている梯子状のケーブルラックＦ上に電線などの線状部材Ｄを配線する場合にあっては、図４に示すように、ヒンジ機構２３を介して支持部２２及び保持体１を取っ手部２１に対して９０度屈曲させ、この状態から前述した工程で吊り杆Ｅを順次通過させることで、線状部材Ｄをケーブルラック上に簡単に配線することが出来る。
【００３５】
以上の実施形態では、操作スイッチ４５ａ・４５ｂを設けて、作業者がこれら操作スイッチ４５ａ・４５ｂの操作により、駆動装置４を介して連結体３ａ・３ｂを動作させるようにしたが、これに限定されるものではなく、例えば図５に示すように、前記操作スイッチ４５ａ・４５ｂに加えて、連結体３ａ・３ｂの外面にリミットスイッチ４９ａ・４９ｂを設け、このリミットスイッチ４９ａ・４９ｂに例えば杆材Ａが接触することで、駆動モーター４１ａ・４１ｂが駆動するようにしてもよい。
【００３６】
この場合、作業者が操作スイッチ４５ａ・４５ｂを操作する手間が解消されて、より一層、配線作業が簡単に行なえる。
【００３７】
また以上の支持体２において、取っ手部２１を、例えば図５に概略的に示すように、外筒２１ａとこの外筒２１ａに対してスライド可能に装填された内筒２１ｂとから構成することで、取っ手部２１の長さを調整可能としてもよく、以上の構成を採用することで、天井の高さや作業者の身長にあわせて、工具の全長を任意変更することが出来、配線作業が行い易くなる。
【００３８】
また以上の実施形態では、付勢手段としてコイルスプリング７を用いたが、これに限定されるものではなく、例えば付勢手段として電磁ソレノイドを用いてもよい。
【００３９】
また以上の実施形態では、支持部２２をヒンジ機構２３を介して取っ手部２１の長さ方向一端部に揺動可能に取り付けたが、これに限定されるものではなく、例えば取っ手部２１の長さ方向一端に支持部２２を一体に設けてもよい。
【００４０】
また以上の実施形態では、駆動装置により、連結体３ａ・３ｂを自動的に移動させるようにしたが、連結体３ａ・３ｂに連動する操作レバーを設けて、この操作レバーの手動操作により連結体３ａ・３ｂを移動させるようにしてもよい。
【図面の簡単な説明】
【００４１】
【図１】本発明にかかる配線用工具の一実施形態を示す一部省略正面図。
【図２】同、要部の説明図。
【図３】配線用工具の使用状態を示す説明図。
【図４】配線用工具の使用状態を示す説明図。
【図５】本発明にかかる配線用工具の別の実施形態を示す一部省略正面図。
【符号の説明】
【００４２】
１        保持体
２        支持体
２１      取っ手部
２        支持部
３ａ・３ｂ  連結体
４        駆動装置（作動手段）
４１ａ・４１ｂ  駆動モータ
４５ａ・４５ｂ  操作スイッチ
Ａ        杆材
Ｂ        天井下地部
Ｃ        天井内
Ｄ        線状部材
【図１】
2005117715.tif 000003
【図２】
2005117715.tif 000004
【図３】
2005117715.tif 000005
【図４】
2005117715.tif 000006
【図５】
2005117715.tif 000007